(57)【要約】【課題】複数の発光素子に対して駆動電流を供給する際、電圧降下量のばらつきを抑えて、均一な発光性能を維持できる電気光学装置を提供する。【解決手段】有機ＥＬ表示装置Ｓは、複数の発光素子を有する表示領域１と、表示領域１の外側に設けられ、発光素子に対して電力を供給する電源配線３とを有している。電源配線３は、表示領域１の周縁に沿ってＸ方向に延びるように設けられた赤色用電源配線３Ｒと、赤色用電源配線３Ｒと表示領域１との間で赤色用電源配線３Ｒに並んで設けられた緑色用電源配線３Ｇとを有し、緑色用電源配線３Ｇの線幅Ｄ２は、赤色用電源配線３Ｒの線幅Ｄ１より細く設定されている。【選択図】　　　　図１
2004087302.tif 000002
【特許請求の範囲】
【請求項１】
複数の発光素子を有する表示領域と、前記表示領域の外側に設けられ、前記発光素子に対して電力を供給する電源配線とを有する電気光学装置において、
前記電源配線は、前記表示領域の周縁に沿って所定方向に延びるように設けられた第１の電源配線と、
前記第１の電源配線と前記表示領域との間で前記第１の電源配線に並んで設けられた第２の電源配線とを有し、
前記第２の電源配線の線幅は、前記第１の電源配線より細く設定されていることを特徴とする電気光学装置。
【請求項２】
前記電源配線は複数並んで設けられ、
前記複数の電源配線のうち前記表示領域に近い位置に配置された電源配線の線幅が最も細く設定され、該表示領域に対して外側に向かうにつれて前記複数の電源配線の線幅が順次太く設定されていることを特徴とする請求項１記載の電気光学装置。
【請求項３】
前記発光素子は有機エレクトロルミネッセンス素子を含むことを特徴とする請求項１又は２記載の電気光学装置。
【請求項４】
請求項１〜請求項３のいずれか一項記載の電気光学装置と、当該電気光学装置に少なくとも画像データを供給する回路とを有することを特徴とする電子機器。
【発明の詳細な説明】
【０００１】
【発明の属する技術分野】
本発明は、発光素子を有する電気光学装置及び電子機器に関するものである。
【０００２】
【従来の技術】
有機エレクトロルミネッセンス（ＥＬ）表示装置は各画素に対応して発光素子である有機ＥＬ素子を有しているが、フルカラー化のために、ガラス基板に赤（Ｒ）、緑（Ｇ）、青（Ｂ）各色の発光素子を備えたものがある。そして、有機ＥＬ表示装置ではこれら発光素子を発光するために電源配線を介して発光素子に対して駆動電流を供給している。電源配線は、発光素子が配置されている表示領域の外側において表示領域の周縁に沿うように、各色の発光素子に対応して複数並ぶように設けられている。例えば、青色発光素子に電流を供給するための青色用電源配線は表示領域に近い位置に配置され、緑色発光素子に電流を供給するための緑色用電源配線は表示領域に対して青色用電源配線の外側に配置され、赤色発光素子に電流を供給するための赤色用電源配線は表示領域に対して緑色用電源配線の外側に配置されている。したがって、例えば、赤色用電源配線と表示領域に設けられている赤色発光素子とを接続する接続線は、緑色用電源配線及び青色用電源配線を跨ぐように設けられる。
【０００３】
【発明が解決しようとする課題】
しかしながら、上述した従来の有機ＥＬ表示装置において、以下に述べるような問題が生じるようになった。
すなわち、赤色用接続線が緑色及び青色用電源配線を跨ぐ際、この緑色及び青色用電源配線が太いと赤色用接続線の跨ぐ距離が長くなり、この跨ぎ部分の配線抵抗が増大する。すると、跨ぎ部分における電圧降下量にばらつきが生じ、発光素子それぞれに供給される電流値が変化する。発光素子それぞれに対する電流供給量が変化すると発光の均一性が低下するなど、表示性能を低下させることになる。
【０００４】
本発明はこのような事情に鑑みてなされたもので、複数の発光素子に対して駆動電流を供給する際、電圧降下量のばらつきを抑えて、均一な発光性能を維持できる電気光学装置及び電子機器を提供することを目的とする。
【０００５】
【課題を解決するための手段】
上記の課題を解決するため、本発明の電気光学装置は、複数の発光素子を有する表示領域と、前記表示領域の外側に設けられ、前記発光素子に対して電力を供給する電源配線とを有する電気光学装置において、前記電源配線は、前記表示領域の周縁に沿って所定方向に延びるように設けられた第１の電源配線と、前記第１の電源配線と前記表示領域との間で前記第１の電源配線に並んで設けられた第２の電源配線とを有し、前記第２の電源配線の線幅は、前記第１の電源配線より細く設定されていることを特徴とする。
【０００６】
本発明によれば、表示領域の外側においてこの表示領域の周縁に沿うように並んで配置されている複数の電源配線のうち、表示領域に近い側（内側）の電源配線の線幅を、表示領域に遠い側（外側）の電源配線の線幅より細く設定したので、外側の電源配線から表示領域内に電源を供給する電源線が内側の電源配線を跨ぐ際、この電源線の跨ぎ部分（以下、接続線という）の距離を短く設定できる。したがって、接続線の距離の長大化に起因する配線抵抗の増大を抑えることができ、電圧降下量を抑えることができる。また、このような構成としても外側の電源配線の接続線で電圧降下が生じてしまうが、外側の電源配線の幅を内側の電源配線より太くすることによって電源配線自体で生じる電圧降下を低減し、接続線で生じる電圧降下と相殺することができる。したがって、電源配線の配置による電圧降下のばらつきを減少させることによって、複数の発光素子それぞれの発光特性を均一化できる。
【０００７】
本発明の電気光学装置において、前記電源配線は複数並んで設けられ、前記複数の電源配線のうち前記表示領域に近い位置に配置された電源配線の線幅が最も細く設定され、該表示領域に対して外側に向かうにつれて前記複数の電源配線の線幅が順次太く設定されている構成が採用される。
これにより、電源配線が複数ある場合において、最も外側の電源配線に接続されている接続線の距離と、その内側の電源配線に接続されている接続線の距離との差を抑えることができる。また、より外側の電源配線の幅をより内側の電源配線より太くすることによって、より外側の電源配線自体で生じる電圧降下を低減し、接続線で生じる電圧降下と相殺することができる。したがって、電源配線の配置による電圧降下のばらつきを減少させることによって、これら各電源配線に接続される発光素子の発光特性をより均一化できる。
【０００８】
本発明の電気光学装置において、前記発光素子は有機エレクトロルミネッセンス素子を含む構成が採用される。有機エレクトロルミネッセンス素子は電流駆動型の表示素子であり、電圧降下が生じやすく、また、発光色毎に異なる電圧を供給する場合があること複数の電源配線が用いられる。したがって有機エレクトロルミネッセンス素子と上記の電源配線の配置とを組み合わせることにより、高輝度で高速応答、且つ発光特性の良好な表示装置を提供できる。
【０００９】
本発明の電子機器は、上記記載の電気光学装置と、当該電気光学装置に少なくとも画像データを供給する回路とを有することを特徴とする。
本発明によれば、優れた発光性能を有する表示装置を備えた電子機器を提供できる。
【００１０】
【発明の実施の形態】
以下、本発明の電気光学装置及び電子機器について図面を参照しながら説明する。図１は本発明の電気光学装置の一例としての有機ＥＬ表示装置を示す図であって、図１は模式的な全体平面図及びその要部拡大図である。
【００１１】
図１において、有機ＥＬ表示装置Ｓは、ガラス等からなる透明な基板Ｐと、基板Ｐ上にマトリクス状に配置された複数の有機エレクトロルミネッセンス（ＥＬ：Ｅｌｅｃｔｒｏｌｕｍｉｎｅｓｃｅｎｃｅ）素子とを備えている。有機ＥＬ素子（発光素子）は、後述する画素電極（陽極）と、機能層と、陰極とを有して形成されており、発光素子の発光状態は、陽極に接続された薄膜トランジスタ（ＴＦＴ：Ｔｈｉｎ　Ｆｉｌｍ　Ｔｒａｎｓｉｓｔｏｒ）を介して制御される。
【００１２】
表示装置Ｓは、基板Ｐの中央に設けられている表示領域１と、基板Ｐの周縁であって表示領域１の外側に設けられている非表示領域２とを備えている。マトリクス状に配置されている複数の発光素子は、表示領域１に設けられている。また、表示装置Ｓは、図１中、Ｘ方向に延びる複数の走査線４と、走査線４に対して交差する方向であるＹ方向に延びる複数の信号線５と、信号線５に並列に延びる複数の電源線６とを有している。そして、走査線４と信号線５との各交点付近に、発光素子のそれぞれに対応した複数の画素１００が設けられている。画素１００は発光素子により発光する領域であり、本実施形態において、カラー表示を行うために、赤（Ｒ）、緑（Ｇ）、青（Ｂ）の各色に対応した各画素１００がストライプ状に配列されている。
ここで、信号線５には、シフトレジスタ、レベルシフタ、ビデオライン及びアナログスイッチを備えるデータ側駆動回路（不図示）が接続されている。また、走査線４には、シフトレジスタ及びレベルシフタを備える走査側駆動回路（不図示）が接続されている。
【００１３】
図２は表示装置Ｓの構成の一例を模式的に示す分解斜視図である。本実施形態において、表示装置Ｓは、能動素子としてＴＦＴ（薄膜トランジスタ）を用いたアクティブ型駆動方式の表示装置である。
図２において、表示装置Ｓは、基板Ｐと、基板Ｐ上にマトリクス状に配置された発光素子としての複数の画素１００とを備えている。本実施形態において、画素１００の平面形状は矩形であるが、円形や長円形など他の形状でもよい。カラー表示を行う場合、例えば、赤（Ｒ）、緑（Ｇ）、青（Ｂ）等の各色に対応する画素１００が所定の配列で並ぶ。また、表示装置Ｓは、画素１００のそれぞれに対応して、ＴＦＴを含む能動素子部１４６と、発光層、正孔輸送層等を含む機能層１４０と、画素電極（陽極）１４１と、陰極（対向電極）１５４と、封止部１４７とを備えている。なお、機能層１４０には必要に応じて電子輸送層が含まれる。発光層は、電気光学物質としての有機エレクトロルミネッセンス材料を含む層である。そして、画素電極（陽極）１４１と、陰極（対向電極）１５４と、画素電極１４１と陽極１５４との間に挟まれた機能層１４０とによって発光素子（有機ＥＬ素子）が構成される。なお、本実施形態において、基板Ｐは透明なガラス基板により構成されているが、シリコン基板、石英基板、セラミックス基板、金属基板、プラスチック基板、プラスチックフィルム基板等、透明、不透明を問わず電気光学装置や回路基板に用いられる基板が適用可能である。
【００１４】
画素電極１４１の近傍には、上述した走査線４、信号線５、及び電源線６等が配置されている。また、画素１００には、走査線４を介して走査信号がゲート電極に供給されるスイッチング用のＴＦＴ１４２と、このスイッチング用ＴＦＴ１４２を介して信号線５から供給される画像信号を保持する保持容量１４５と、保持容量１４５により保持された画像信号がゲート電極に供給される駆動用のＴＦＴ１４３とが設けられている。駆動用ＴＦＴ１４３を介して画素電極１４１が電源線６に電気的に接続されたときに、機能層１４０に駆動電流が供給される。スイッチング用及び駆動用ＴＦＴ１４２及び１４３は、それぞれソース電極２６３及びドレイン電極２６６を有しており、その間にソース・ドレイン領域２４２がそれぞれ形成されている。
【００１５】
封止部１４７は、水及び酸素の侵入を防いで陰極１５４あるいは機能層１４０の酸化、腐蝕を防止するものであり、基板Ｐに塗布される封止樹脂、及び基板Ｐに貼り合わせられる封止基板（封止缶）１４８等を含む。基板Ｐの内側には乾燥剤が配置されており、両者の間に形成された空間にはＮ２ガスを充填したＮ２ガス充填層１４９が形成されている。
【００１６】
画素１００の境界部には仕切り部材（バンク）２８１が設けられている。仕切り部材２８１は画素１００を取り囲むように設けられており、機能層１４０を例えば液滴吐出法（インクジェット法）により形成する際、仕切り部材２８１の内側に液滴吐出装置から吐出された液滴を貯留させ、液滴を位置決めするとともに隣接する画素の機能層材料の混合を防ぐ。
【００１７】
画素１００では、走査線４が駆動されてスイッチング用ＴＦＴ１４２がオンすると、そのときの信号線５の電位が保持容量１４５に保持され、この保持容量１４５の状態に応じて、駆動用ＴＦＴ１４３の導通状態が決まる。また、この駆動用ＴＦＴ１４３の導通状態に応じた電流量が画素電極１４１を介して電源線６から機能層１４０に供給される。このとき供給される電流量に応じて発光素子の発光強度乃至は発光量が決まる。
【００１８】
図１に戻って、非表示領域２には、発光素子に対して電力を供給する電力供給線（電源配線）３（３Ｒ、３Ｇ、３Ｂ）が設けられている。このうち、電力供給線３Ｒは赤色（Ｒ）の画素１００に対応する発光素子に電力を供給するものであり、電力供給線３Ｇは緑色（Ｇ）の画素１００に対応する発光素子に電力を供給するものであり、電力供給線３Ｂは青色（Ｂ）の画素１００に対応する発光素子に電力を供給するものである。本実施形態において、電力供給線３Ｒ、３Ｇ、３Ｂのそれぞれは、Ｙ方向に延びる部分とＸ方向に延びる部分（電源配線）とを有する屈曲形状である。このうち、電力供給線３Ｒ、３Ｇ、３ＢそれぞれのＹ方向に延びる部分に駆動回路７が接続しており、電力供給線３Ｒ、３Ｇ、３ＢそれぞれのＸ方向に延びる部分（電源配線）に電源配線から画素１００に電源を供給する電源線６が接続している。発光素子たる画素１００を発光させるための駆動回路７からの電源電流は、電力供給線３及び電源線６を介して発光素子の画素電極１４１に供給される。また、駆動回路７からは走査信号、画素信号が出力され、上述の走査線４及び信号線５をそれぞれ介して画素１００に供給される。画素電極１４１に供給された電流は、前記機能層１４０を介して陰極１５４に流れ、機能層１４０はこれを流れる電流量に応じて発光する。ここで、以下の説明において、電力供給線３（３Ｒ、３Ｂ、３Ｇ）のうち、電源線６が接続されている側の部分（本例ではＸ方向（以下、所定方向という）に延びる部分）に延びる部分を、特に電源配線３と称して説明する。
【００１９】
上述したように、非表示領域２に設けられている電源配線３Ｒ、３Ｂ、３Ｇのそれぞれは、表示領域１の周縁に沿って、図１中、Ｘ方向に延びるように並んで配設されている。本実施形態において、３本の電源配線３Ｒ、３Ｇ、３Ｇのうち、青色発光素子に電流を供給するための青色用電源配線３Ｂは表示領域１に近い側（内側）に配置され、緑色発光素子に電流を供給するための緑色用電源配線３Ｇは表示領域１に対して青色用電源配線３Ｂの外側に配置され、赤色発光素子に電流を供給するための赤色用電源配線３Ｒは表示領域１に対して緑色用電源配線３Ｇの外側に配置されている。そして、これら各電源配線３Ｒ、３Ｇ、３Ｂのそれぞれに対して複数の（例えば画素１００の各列毎に）電源線６が接続されている。
【００２０】
図１の電源配線３と電源線６との接続部分近傍の拡大図に示すように、表示領域１から最も離れた位置に赤色用電源配線（第１の電源配線）３Ｒが配置され、緑色用電源配線（第２の電源配線）３Ｇ及び青色用電源配線（第２の電源配線）３Ｂは、その赤色用電源配線３Ｒと表示領域１との間に配置されている。そして、これら各電源配線３Ｒ、３Ｇ、３Ｂそれぞれの線幅は互いに異なるように設定されている。このうち、赤色用電源配線３Ｒの線幅Ｄ１は、緑色用電源配線３Ｇの線幅Ｄ２より太く設定されている。また、緑色用電源配線３Ｇと表示領域１との間に配置されている青色用電源配線３Ｂの線幅Ｄ３は、緑色用電源配線３Ｇの線幅Ｄ２より細く設定されている。すなわち、３本並んで配設されている電源配線３Ｒ、３Ｇ、３Ｂのうち、表示領域１に近い位置に配置された電源配線３Ｂの線幅Ｄ３が最も細く設定され、表示領域１に対して外側に向かうにつれて線幅が順次太くなるように、電源配線３Ｇ、３Ｒが配設されている。
【００２１】
赤色用電源配線３Ｒには赤色用電源線６Ｒが接続している。緑色用電源配線３Ｇには緑色用電源線６Ｇが接続している。青色用電源配線３Ｂには青色用電源線６Ｂが接続している。ここで、赤色用電源線６Ｒは緑色用電源配線３Ｇ及び青色用電源配線３Ｂと交差し、この緑色及び青色用電源配線３Ｇ、３Ｂを跨いで表示領域１の発光素子（画素電極）に接続する。緑色用電源線６Ｇは青色用電源配線３Ｂと交差し、この青色用電源配線３Ｂを跨いで表示領域１の発光素子（画素電極）に接続する。
【００２２】
図３は電源線６と電源配線３との交差部分（跨ぎ部分）のうち特に赤色用電源線６Ｒと緑色用電源配線３Ｇとの交差部分を示す模式図であって、図３（ａ）は平面図、図３（ｂ）は図３（ａ）のＡ−Ａ断面図である。
図３（ｂ）に示すように、表示装置Ｓは複数の層を積層した多層構造であって、赤色用電源配線３Ｒと緑色用電源配線３Ｇとは同じ層（レイヤ）に設けられている。また、赤色用電源配線３Ｒと赤色用電源線６Ｒとも同じ層に設けられている。そして、赤色用電源配線３Ｒと赤色用電源線６Ｒとは、これら赤色用電源配線３Ｒ及び赤色用電源線６Ｒと異なる層に設けられた接続線である導電部１０を介して接続されている。導電部１０と赤色用電源配線３Ｒ及び赤色用電源線６Ｒとの間には絶縁層１１が設けられており、この絶縁層１１に設けられたコンタクトホール１１ａ、１１ｂを介して、赤色用電源配線３Ｒ及び赤色用電源線６Ｒと導電部１０とが接続されている。赤色用電源配線３Ｒに供給された電流は、導電部１０を介して赤色用電源線６Ｒに流れる。一般に、接続線である導電部１０の形成される層は不純物含有シリコンなどの導電性材料からなり、電源配線が敷設されるアルミ配線層に比べて比抵抗が高い。したがって、配線抵抗を低減し電圧降下を減少させるには、接続線長は短いほど良い。
【００２３】
以上説明したように、表示領域１の外側においてこの表示領域１の周縁に沿うように並んで配置されている複数の電源配線３Ｒ、３Ｇ、３Ｂのうち、表示領域１に近い側（内側）の電源配線３Ｇ（３Ｂ）の線幅を、表示領域１に遠い側（外側）の電源配線３Ｒ（３Ｇ）の線幅より細く設定したので、外側の電源配線３Ｒに接続した電源線６Ｒが内側の電源配線３Ｇを跨ぐ際、この電源線６Ｒの跨ぎ部分、すなわち導電部１０の距離を短く設定できる。したがって、導電部１０を含む電源線６Ｒの距離の長大化に起因する配線抵抗の増大を抑えることができ、電圧降下量を抑えることができる。すなわち、長さＬ〔ｍ〕、断面積ａ〔ｍ２〕で体積抵抗率ρ〔Ω・ｍ〕の一様な物質の電気抵抗Ｒ〔Ω〕は、Ｒ＝ρ・Ｌ／ａ　であるので、線幅の細い電源配線を内側に配置することで、跨ぎ部分である導電部１０の長さＬを短くすることができ、抵抗値Ｒの増加を抑えることができる。そして、オームの法則（Ｖ＝Ｉ・Ｒ）に基づき、導電部１０の配線抵抗値Ｒが小さくなればなる程、電圧降下Ｖを小さくすることができる。接続線たる導電部１０での電圧降下の増大は供給電圧の低下を意味するだけでなく、供給電流に応じて供給電圧がばらつくことにもつながるので、これを小さく抑えることにより、発光素子の発光特性を均一化できる。また、外側の電源配線ほど配線幅を太くして電源配線自体で発生する電圧降下を低減することにより、その低減分と接続線部分で発生する電圧降下とを相殺して、他の電源の電源供給経路で発生する電圧降下と同等の電圧降下特性を得ることが可能となる。これにより、表示性能に優れた有機ＥＬ装置を提供できる。
【００２４】
なお、上記実施形態は、外側の電源配線３Ｒの線幅Ｄ１が最も太く、内側に向かうにつれて順次線幅が細くなる電源配線３Ｇ、３Ｂが配置された構成であって最も好ましい形成であるが、本発明はかかる構成に限定されるものではない。例えば、電源配線３Ｇの線幅が最も太く、その内側の電源配線３Ｂの線幅が電源配線３Ｇの線幅より細いとともに、外側の電源配線３Ｒの線幅も電源配線３Ｇの線幅より細い構成であってもよい。すなわち、複数の電源配線のうち、選択された第１の電源配線と、この第１の電源配線と表示領域との間に配置された第２の電源配線とにおいて、表示領域側に近い第２の電源配線が第１の電源配線より細い構成を有していれば、この第１及び第２の電源配線以外の電源配線の線幅に基づく配置は任意でよい。このように構成することにより、第１及び第２の電源配線に関する限り、本発明の効果を享受することができる。
【００２５】
上記実施形態において、３本の電力供給線のそれぞれは表示領域１に対して同じ側、すなわち、電力供給線のうちＹ方向に延びる部分が表示領域１に対して−Ｘ側に配置されている構成であるが、例えば、図４（ａ）に示すように、複数の電力供給線のうち、一部の電力供給線が表示領域１に対して−Ｘ側に配置され、残りの電力供給線が表示領域１に対して＋Ｘ側に配置されている構成でもよい。図４（ａ）に示す例では、赤色及び緑色用電力供給線３Ｒ、３Ｇが表示領域１の−Ｘ側に配置され、青色用電力供給線３Ｂが表示領域１の＋Ｘ側に配置されている。また、電源配線（電力供給線のうちＸ方向に延びる部分）も、３本全てが表示領域１に対して同じ側（＋Ｙ側）に配置されている構成の他に、一部の電源配線が表示領域１に対して＋Ｙ側に配置され、残りの電源配線が表示領域１に対して−Ｙ側に配置された構成でもよい。
【００２６】
また、上記実施形態において、電力供給線はＲＧＢの各色に対応して３本設けられた構成であるが、図４（ｂ）に示すように、例えば、Ｒ及びＧに対応する発光素子に対して電力を供給するための電力供給線を１本とし、この１本の電力供給線（電源配線）から赤色用電源線６Ｒ及び緑色用電源線６Ｇに分岐させてもよい。
【００２７】
上記実施形態の有機ＥＬ表示装置を備えた電子機器の例について説明する。
図５は、携帯電話の一例を示した斜視図である。図５において、符号１０００は携帯電話本体を示し、符号１００１は上記の有機ＥＬ表示装置を用いた表示部を示している。
図６は、腕時計型電子機器の一例を示した斜視図である。図６において、符号１１００は時計本体を示し、符号１１０１は上記の有機ＥＬ表示装置を用いた表示部を示している。
図７は、ワープロ、パソコンなどの携帯型情報処理装置の一例を示した斜視図である。図７において、符号１２００は情報処理装置、符号１２０２はキーボードなどの入力部、符号１２０４は情報処理装置本体、符号１２０６は上記の有機ＥＬ表示装置を用いた表示部を示している。
図５〜図７に示す電子機器は、上記実施形態の有機ＥＬ表示装置及びこれに電源、画像データ等を供給する駆動制御回路を備えているので、表示品位に優れ、明るい画面の有機ＥＬ表示部を備えた電子機器を実現することができる。
【００２８】
上記実施形態は、本発明の電源配線の配線パターンを有機ＥＬ表示装置に適用したものであるが、有機ＥＬ表示装置に限らず、ＰＤＰ（プラズマディスプレイパネル）表示装置や液晶表示装置など、素子への電力供給線が複数あり、これら各電力供給線において跨ぎ部分が存在する表示装置であれば適用可能である。また、上記の全ての実施形態において、駆動回路７は表示装置Ｓの非表示領域２内に配置されているが、本発明はかかる構成に限定されるものではない。すなわち、駆動回路７は表示装置Ｓの外部、例えば電子機器の側やそれとの中継基板上に配置されていても良く、図中の駆動回路７の位置に駆動回路７との接続のための配線パターン又はコネクタを設けても良い。また、上記の全ての実施例において、電源供給線３が駆動回路７に接続されているが、本発明はかかる構成に限定されるものではない。即ち、電源供給線３を、駆動回路７を介することなく、不図示の電源回路に接続することも可能である。
【００２９】
【発明の効果】
以上説明したように、表示領域の外側に並んで配置されている複数の電源配線のうち、表示領域に対して内側の電源配線の線幅を、表示領域に対して外側の電源配線の線幅より細く設定したので、外側の電源配線に接続した接続線が内側の電源配線を跨ぐ際、この接続線の距離を短く設定できる。したがって、跨ぎ部分の距離の長大化に起因する配線抵抗の増大を抑えることができ、電圧降下量を抑えることができる。また、より外側の電源配線の幅をより内側の電源配線より太くすることによって、より外側の電源配線自体で生じる電圧降下を低減し、接続線で生じる電圧降下と相殺することができる。したがって、電源配線の配置による電圧降下のばらつきを減少させることによって、複数の発光素子それぞれの発光特性を均一化でき、良好な表示性能を有する電気光学装置及びその電気光学装置を組み込んだ電子機器を提供できる。
【図面の簡単な説明】
【図１】本発明の電気光学装置としての有機ＥＬ表示装置の一実施形態を示す図である。
【図２】有機ＥＬ表示装置の構成の一例を示す斜視図である。
【図３】電源配線と電源線との交差部分を示す図であって、（ａ）は平面図、（ｂ）は（ａ）のＡ−Ａ断面図である。
【図４】本発明の有機ＥＬ表示装置の他の実施形態を示す平面図である。
【図５】本発明の電気光学装置を備えた電子機器の一例を示す図である。
【図６】本発明の電気光学装置を備えた電子機器の一例を示す図である。
【図７】本発明の電気光学装置を備えた電子機器の一例を示す図である。
【符号の説明】
１　　表示領域
２　　非表示領域
３　　電源配線
３Ｒ　赤色用電源配線（第１の電源配線）
３Ｇ　緑色用電源配線（第２の電源配線）
３Ｂ　青色用電源配線（第２の電源配線）
Ｓ　　有機ＥＬ表示装置
【図１】
2004087302.tif 000003
【図２】
2004087302.tif 000004
【図３】
2004087302.tif 000005
【図４】
2004087302.tif 000006
【図５】
2004087302.tif 000007
【図６】
2004087302.tif 000008
【図７】
2004087302.tif 000009